(57)【要約】  【課題】  海底に設置したトラス構造の骨組構造体の上に水面から突出状態に滑走部材を取り付ける形態とは異なり、水上に浮かぶウェークボードスライダーを提供する。そして、この浮上式ウェークボードスライダーにおいて、初心者向けと熟練者向け等のように使用者の熟練度等に応じて、ウェークボードが滑走する滑走部材の水面から突出する高さを変更できるにできるようにする。更に、その高さ変更の構成を簡単な構成によって達成できるウェークボードスライダーを提供する。  【解決手段】  ウェークボードが滑走する滑走部材を上面に配置した骨格部材には滑走部材を水上に突出した状態に浮かばせる浮き部材が設けられ、滑走部材の水上に突出する高さを前記浮き部材の取り付け位置によって変更可能としたことを特徴とする。【選択図】  図１
2005046362.tif 000002
【特許請求の範囲】
【請求項１】
ウェークボードが滑走する滑走部材が骨格部材の上面に配置され、前記骨格部材には前記滑走部材を水上に突出した状態に浮かばせる浮き部材が設けられ、前記滑走部材の水上に突出する高さを前記浮き部材の取り付け位置によって変更可能としたことを特徴とするウェークボードスライダー。
【請求項２】
ウェークボードが滑走する滑走部材が骨格部材の上面に配置され、前記滑走部材を水上に突出した状態に浮かばせる浮き部材が前記滑走部材の下方位置で前記骨格部材に設けられ、前記浮き部材は横方向へ長い形態を呈し、前記骨格部材に対する前記浮き部材の位置が、前記滑走部材の長さ方向に交差して左右方向への張り出しが大きくなる第１位置と、前記滑走部材の長さ方向に向いて左右方向への張り出しが小さくなる第２位置とに変更可能としたことを特徴とするウェークボードスライダー。
【請求項３】
ウェークボードが滑走するよう平行配列された２本のアルミニウム製パイプの滑走部材がアルミニウム製骨格部材の上面に配置され、前記骨格部材には前記滑走部材を水上に突出した状態に浮かばせる浮き部材が設けられ、進入側ブロック部と、中間ブロック部と、出口側ブロック部とから構成されたウェークボードスライダーであって、前記各ブロックはそれぞれ前記滑走部材と前記浮き部材の双方を具備しており、前記進入側ブロック部の前記滑走部材は斜め上方に延びる傾斜滑走部を形成し、前記中間ブロック部の前記滑走部材は前記傾斜滑走部の終端と連続して略水平状態に延びる水平滑走部を形成し、前記出口側ブロック部の前記滑走部材は前記水平滑走部の終端と連続して斜め上方に傾斜したジャンプ滑走部または斜め下方に延びる傾斜滑走部を形成し、前記進入側ブロック部と、中間ブロック部と、出口側ブロック部はそれぞれ着脱自在に取り付けられた錘を備えて相互に着脱自在に連結される連結部を備え、前記滑走部材が水上に突出する高さを前記浮き部材の取り付け位置によって変更可能としたたことを特徴とするウェークボードスライダー。
【発明の詳細な説明】
【技術分野】
【０００１】
本発明は、ウェークボードが滑走できる上面の滑走部材が水上に突出した状態に浮かぶウェークボードスライダーに関する。
【背景技術】
【０００２】
足に取り付けるための一対のバインディングに足を保持した状態で、モーターボート等により牽引されて水上を滑走するウェークボードがあり、この牽引により水面滑走をしつつウェークボードが水上に突出した滑走部材上に乗ってこの滑走部材上を滑り、再び着水して水面滑走を継続するような使用に用いられるウェークボードスライダーがある（例えば、特許文献１参照）。
【０００３】
通常、この様なウェークボードスライダーは、海底に設置したトラス構造の骨組構造体の上に水面から突出状態に取り付けられる形態であり、組立ても大掛かりなものとなり、使用者の熟練度に合わせて滑走部材の水面からの高さを大きく変更できる構成ではなく、また移動自在な構成でもない。
【特許文献１】特開２００１‐２３１９０６号公報
【発明の開示】
【発明が解決しようとする課題】
【０００４】
本発明は、海底に設置したトラス構造の骨組構造体の上に水面から突出状態に滑走部材を取り付ける形態とは異なり、水上に浮かぶウェークボードスライダーを提供する。そして、この浮上式ウェークボードスライダーにおいて、初心者向けと熟練者向け等のように使用者の熟練度等に応じて、ウェークボードが滑走する滑走部材の水面から突出する高さを変更できるにできるようにする。更に、その高さ変更の構成を簡単な構成によって達成できるウェークボードスライダーを提供する。
【０００５】
また、浮き部材によって水上に浮かばせる浮上式ウェークボードスライダーにおいて、浮き部材の位置を変更してトレーラなどへの積載をし易く、運搬のし易い構成を提供するものである。
【課題を解決するための手段】
【０００６】
本発明のウェークボードスライダーは、ウェークボードが滑走する滑走部材が骨格部材の上面に配置され、前記骨格部材には前記滑走部材を水上に突出した状態に浮かばせる浮き部材が設けられ、前記滑走部材の水上に突出する高さを前記浮き部材の取り付け位置によって変更可能としたことを特徴とする。
【発明の効果】
【０００７】
請求項１の本発明のウェークボードスライダーは、ウェークボードスライダーを水上に浮かばせる浮き部材の取り付け位置によって、ウェークボードが滑走する滑走部材の水上に突出する高さが変更可能あるため、初心者向けと熟練者向け等のように使用者の状態等に応じた高さにできる効果がある。
【０００８】
また、請求項２の発明では、骨格部材に対する浮き部材の位置が滑走部材の長さ方向に交差する第１位置と滑走部材の長さ方向に向く第２位置とに変更可能としたため、水上での使用時には第１位置として浮き部材が左右両側に張り出して状態にてウェークボードスライダーを安定的に保持し、運搬時等には浮き部材を第２位置として左右両側への張り出しを少なくしてトレーラなどへの積載をし易くする効果がある。
【０００９】
また、請求項３の発明では、ウェークボードが滑走する滑走部材の水上に突出する高さが変更可能あるため、初心者向けと熟練者向け等のように使用者の状態等に応じた高さにできる効果がある。そして、環境汚染と強度と運搬のし易さ等を考慮して滑走部材も含めて骨格部材がアルミニウム製としている。更に、ウェークボードスライダーを進入側ブロック部と、中間ブロック部と、出口側ブロック部の結合構成としているため、これらを分離して上記のように浮き部材を第２位置として左右両側への張り出しを少なくすれば、コンパクトにできるため運搬し易くなると共に、トレーラなどへの積載をし易くできる効果がある。
【発明を実施するための最良の形態】
【００１０】
本発明は、浮き部材によって水上に浮かばせる浮上式ウェークボードスライダーであって、この浮き部材の取り付け位置の変更によって、ウェークボードが滑走する滑走部材の水上に突出する高さを変更可能としたものである。
【実施例１】
【００１１】
本発明のウェークボードスライダーについて図に基づき説明する。図１は本発明に係るウェークボードスライダーの側面図、図２は本発明に係るウェークボードスライダーの他の形態の側面図、図３は本発明に係るウェークボードスライダーの下面図、図４は本発明に係る浮き部材の上下位置関係の説明図、図５は本発明に係る中間ブロック部の側面図、図６は本発明に係る中間ブロック部の正面図、図７は本発明に係るジャンプ滑走部を形成した出口側ブロック部の側面図、図８は各ブロック部相互の連結部の分解斜視図、図９は各ブロック部相互の連結部の上面図、図１０は骨格部材に対する滑走部材と浮き部材の取り付け関係を示す分解斜視図、図１１は骨格部材に対する浮き部材の取り付け位置関係を示す横断平面図、図１２は浮き部材の支持部材の斜視図、図１３は浮き部材の支持部材の横断平面図、図１４は進入側ブロック部の浮き部材の取り付け状態を示す斜視図、図１５は進入側ブロック部の浮き部材取り付け部の部分断面図、図１６は各ブロック部相互の滑走部材相互の接続部の分解斜視図、図１７は各ブロック部相互の滑走部材相互の接続部の側面図である。
【００１２】
ここで、１は本発明のウェークボードスライダーであり、ウェークボードが滑走するよう平行配列された２本のアルミニウム製パイプ３の滑走部材２がアルミニウム製骨格部材４の上面に配置され、骨格部材４には滑走部材２を水上に突出した状態に浮かばせる浮き部材５が設けられた構成である。そして、ウェークボードスライダー１は、進入側ブロック部６と、中間ブロック部７と、出口側ブロック部８とから構成され、各ブロック６、７、８はそれぞれ滑走部材２と浮き部材５の双方を具備している。進入側ブロック部６の滑走部材２は斜め上方に延びる傾斜滑走部９を形成し、中間ブロック部７の滑走部材２は傾斜滑走部９の終端と連続して略水平状態に延びる水平滑走部１０を形成し、出口側ブロック部８の滑走部材２は、図１に示すように水平滑走部１０の終端と連続して斜め上方に傾斜したジャンプ滑走部１１、または図２に示すように斜め下方に延びる傾斜滑走部１２を形成している。そして、進入側ブロック部６と、中間ブロック部７と、出口側ブロック部８はそれぞれ着脱自在に取り付けられた錘１３を備えて相互に着脱自在に連結される連結部１４を備えた構成である。
【００１３】
図１には、ウェークボードスライダー１が、傾斜滑走部９を形成した進入側ブロック部６と、水平滑走部１０を形成した中間ブロック部７と、ジャンプ滑走部１１を形成した出口側ブロック部８とから構成した形態を示している。また、実施例２を示す図２には、ウェークボードスライダー１が、傾斜滑走部９を形成した進入側ブロック部６と、水平滑走部１０を形成した中間ブロック部７と、傾斜滑走部１２を形成した出口側ブロック部８とから構成した形態を示している。このいずれの形態においても、中間ブロック部７は一つに限らず複数の中間ブロック部７が連結される構成でもよい。
【００１４】
本発明は、浮き部材５によって水上に浮かばせる浮上式ウェークボードスライダー１であって、この浮き部材５の取り付け位置の変更によって、ウェークボードが滑走する滑走部材２の水上に突出する高さを変更可能としたことを特徴とするものである。このため、ウェークボードが滑走する滑走部材２が骨格部材４の上面に配置され、骨格部材４には滑走部材２を水上に突出した状態に浮かばせる浮き部材５が設けられ、滑走部材２の水上に突出する高さを骨格部材４に対する浮き部材５の取り付け位置によって変更可能とした構成である。
【００１５】
この具体的な構成を図１０乃至図１３に基づき以下に説明することとする。各ブロック６〜８の骨格部材４は、ウェークボードスライダー１の下部にウェークボードスライダー１の長さ方向に渡るベース部材４Ａと、このベース部材４Ａから垂直上方に立設された支柱部材４Ｂを備える。支柱部材４Ｂのうち、各ブロック６〜８相互の連結部１４で結合される端部支柱部材１４Ｂは、図８に示すように断面コ字状アングル材で構成されるが、中間部に配置される中間支柱部材４Ｂは断面円形のパイプ状である。端部支柱部材１４Ｂは、ベース部材４Ａの端部に交差状の溶接固定した端部材４Ｅ上に略垂直状態に溶接固定されている。また、中間支柱部材４Ｂは、その下端部フランジ４Ｃをボルトネジ１５によってベース部材４Ａに固定している。骨格部材４は、全体として前後の幅が狭く、左右方向（図１及び図２の紙面の左右方向）に長い形態である。
【００１６】
滑走部材２を構成する相互に当接状態に平行配列された２本のアルミニウム製パイプ３は、その下部を上向き開渠状の支持部材１６に溶接固定されており、端部支柱部材１４Ｂの上端に支持部材１６が溶接固定されている。また、中間支柱部材４Ｂの上端部フランジ４Ｄ上にこの支持部材１６が載置された状態で、ボルトネジ１７によって中間支柱部材４Ｂに固定している。これによって、各ブロック６〜８の滑走部材２は骨格部材４の支柱部材４Ｂ上に配置された状態となる。
【００１７】
浮き部材５は、発泡スチロール等のように軽くて十分な浮力が得られる部材が耐水性袋に収納された横方向へ長い形態を呈するように短円柱形状をなし、浮き部材５の中心軸線上の孔５Ａを貫通する支持軸１８が略１８０°間隔で配置された浮き部材用支持部材２０によって、中間支柱部材４Ｂに取り付けられる。支持部材２０は、中間支柱部材４Ｂの外周に上下動及び回転自在に嵌り合うリング状の嵌合部材１９と、その両側に溶接固定された支持部２１に一端が溶接固定された支持軸１８と、嵌合部材１９の上端部に溶接固定されて水平方向に延びた結合フランジ２２を備えている。浮き部材５は、孔５Ａに支持軸１８が挿通されて支持した状態で、支持軸１８の外側端のネジ部１８Ａに座金２３を介してボルトネジ２４を螺合させることによって支持軸１８に抜け止めされ、支持部材２０に浮き部材５が取り付けられる。
【００１８】
中間支柱部材４Ｂに対してベース部材４Ａからの高さＨ３の第１位置と高さＨ４の第２位置で固定されるリング状位置決め部材２５が、中間支柱部材４Ｂの外周に上下動及び回転自在に嵌り合っている。位置決め部材２５は下端部に結合フランジ２６を備えており、結合フランジ２６には、略９０°間隔Ｔでもって結合孔２７Ａ、２７Ｂを形成している。中間支柱部材４Ｂには、ベース部材４Ａからの高さＨ３の第１位置と高さＨ４の第２位置に対応してネジ孔２８がそれぞれ形成されており、位置決め部材２５に形成した結合孔２９を通してボルトネジ３０を下又は上のネジ孔２８に螺合することにより、位置決め部材２５を高さＨ３の第１位置と高さＨ４の第２位置に取り付け可能である。ボルトネジ３０は、手で回し易いように指が嵌る窪み３０Ａを外周に形成した摘み３０Ｂを備える。
【００１９】
ウェークボードスライダー１が水面に浮かび、ウェークボードが滑走部材２上を滑走できる状態では、浮き部材５はウェークボードスライダー１の長さ方向Ｓ１と略直角に交差する方向Ｓ２の方向にセットされる。このＳ２の方向は支持軸１８が図１０の実線方向であり、この状態にセットされた浮き部材５は、滑走部材２の長さ方向に交差して左右方向への張り出しが大きくなる第１位置となる。この第１位置は図３の実線状態であり、また図１、図２及び図７に示すように紙面に対して円形表示状態である。このような浮き部材５の取り付けの具体的な手段として、位置決め部材２５を高さＨ３の第１位置に取り付けた状態で、支持部材２０のリング状嵌合部材１９に形成した結合フランジ２２を位置決め部材２５の結合フランジ２６の下側に当接状態で、結合フランジ２２に形成した結合孔３１と結合フランジ２６に形成した結合孔２７Ａとを一致させた状態で、結合孔２７Ａと３１にボルトネジ３２を挿入して結合フランジ２２と２６をボルトネジ３２にて結合する。これにより、浮き部材５がウェークボードスライダー１の長さ方向Ｓ１と略直角に交差する方向Ｓ２の方向にセットされるものである。ボルトネジ３２は、手で回し易いように指が嵌る窪み３２Ａを外周に形成した摘み３２Ｂを備える。
【００２０】
位置決め部材２５を高さＨ３の第１位置に取り付けた状態は、浮き部材５が下方位置であり、ウェークボードスライダー１が水上に突出する高さ、即ち、ウェークボードが滑走する滑走部材２の水上に突出する高さは、図１に示すように水面Ｐ１から高さＨ１の位置にジャンプ滑走部１１の終端が位置する。また、図２の形態では、水面Ｐ１から高さＨ１１の位置に中間ブロック部７の水平滑走部１０の上面が位置する。
【００２１】
次に、この第１位置からボルトネジ３０を外して、位置決め部材２５を高さＨ４の第２位置にボルトネジ３０によって取り付けた状態は、浮き部材５が上方位置であり、ウェークボードスライダー１が水上に突出する高さ、即ち、ウェークボードが滑走する滑走部材２の水上に突出する高さは、図１に示すように水面Ｐ２から高さＨ２の位置にジャンプ滑走部１１の終端が位置する。また、図２の形態では、水面Ｐ２から高さＨ２２の位置に中間ブロック部７の水平滑走部１０の上面が位置する。
【００２２】
このように、ウェークボードスライダー１が水上に突出する高さ、即ち、ウェークボードが滑走する滑走部材２の水上に突出する高さは、骨格部材４に対する浮き部材５の取り付け位置によって上下に変更可能となる。このため、初心者向けとしては、滑走部材２の水上に突出する高さをＨ２又はＨ２２のように低くし、熟練者向けとしては、滑走部材２の水上に突出する高さをＨ１又はＨ１１のように高くすることにより、ウェークボードの使用者の状態等に応じた高さに対応できる効果がある。
【００２３】
上記の実施形態では、骨格部材４に対する浮き部材５の取り付け位置を上下２箇所としたが、３箇所、４箇所のように増やすことによって、滑走部材２の水上に突出する高さをより細かに変更することが可能となる。
【００２４】
なお、進入側ブロック部６の前端部付近の浮き部材５は、図１４及び図１５に示すように、ベース部材４Ａに略直角に交差するようにＬ字形の固定部材３３の一対が溶接固定され、この一対の固定部材３３間においてベース部材４Ａに略直角に交差するように、短円柱形状の浮き部材５を配置した状態で、両端がこの一対の固定部材３３に渡る一対の締め付け部材３４によって固定している。締め付け部材３４はその両端部にネジ部３４Ａを有しており、固定部材３３の孔を貫通した両端ネジ部３４Ａに座金３５を介してナット部材３６を螺合させることにより、浮き部材５が骨格部材４に取り付けられる。この進入側ブロック部６の前端部付近の浮き部材５は、ウェークボードスライダー１の水上に突出する高さを変更する際にも上下位置を変更しなくても、ウェークボードスライダー１全体の重量からして問題ない。
【００２５】
本発明では、ウェークボードスライダー１をトレーラ等へ積載して運搬する場合や、ウェークボードスライダー１を倉庫等に収納保管する場合等に、コンパクトにして運搬や収納がし易くなる構成を提供する。この構成として、浮き部材５は上記のように横方向へ長い形態を呈し、骨格部材４に対する浮き部材５の位置が、滑走部材２の長さ方向に交差して左右方向への張り出しが大きくなる第１位置と、滑走部材２の長さ方向に向いて左右方向への張り出しが小さくなる第２位置とに変更可能としている。
【００２６】
具体的には、中間支柱部材４Ｂに対して、位置決め部材２５をベース部材４Ａからの高さＨ３の位置にボルトネジ３０によって取り付けた状態、又は位置決め部材２５を高さＨ４の位置にボルトネジ３０によって取り付けた状態において、ボルトネジ３２が結合孔２７Ａ、３１に取り付けられた状態からボルトネジ３２を外して、結合孔３１が結合孔２７Ｂに一致するように浮き部材５と共に支持部材２０を中間支柱部材４Ｂの回りに回動させ、この状態で結合孔２７Ｂ、３１にボルトネジ３２を挿入して支持部材２０と位置決め部材２５をボルトネジ３２にて結合する。これによって、浮き部材５はウェークボードスライダー１の長さ方向Ｓ１の方向にセットされる。このＳ１の方向は支持軸１８が図１０に示す一点鎖線方向であり、この状態にセットされた浮き部材５は、図１、図２及び図７に二点鎖線で示すように紙面の左右方向に長い配置状態である。
【００２７】
このように、骨格部材４に対する浮き部材５の位置が滑走部材２の長さ方向に交差する第１位置と、滑走部材２の長さ方向に向く第２位置とに変更可能であり、ウェークボードスライダー１を水上での使用時には、図３に示すように浮き部材５が骨格部材４の左右両側に張り出した状態にてウェークボードスライダー１を安定的に保持する第１位置とし、運搬時や収納時には浮き部材５が骨格部材４の左右両側への張り出しを少なくしてトレーラなどへの積載をし易くする第２位置とすることができる。
【００２８】
また、環境汚染と強度と運搬のし易さ等を考慮して滑走部材２も含めて骨格部材４が、上記のようにアルミニウム製であり、軽量化された構成である。そしてウェークボードスライダー１を進入側ブロック部６と、中間ブロック部７と、出口側ブロック部８の結合構成として、分解組立て方式であり、分解してトレーラ等の運搬手段によって運搬しやすくしている。これら各ブロック６〜８相互の連結部１４は、連結される一方に端部支柱部材１４Ｂの前後面には、上下位置に固定板３７が溶接固定されており、連結されるブロック相互の端部支柱部材１４Ｂ、１４Ｂのうちの一方の端部支柱部材１４Ｂが前後の固定板３７、３７間に挿入された状態で、前後から固定板３７の孔３９にボルトネジを挿入し、ボルトネジを一方の端部支柱部材１４Ｂに形成したネジ孔４０に螺合せしめる。これによって、進入側ブロック部６と中間ブロック部７、及び中間ブロック部７と出口側ブロック部８が連結され、一連のウェークボードスライダー１が完成される。
【００２９】
なお、この連結によって各ブロック６〜８の滑走部材２のパイプ３相互も連続状態に連結される。各ブロック６〜８の滑走部材２のパイプ３相互の連結は、図１６及び図１７に示すように、連結されるブロック相互のパイプ３のうちの一方のパイプ３の端部内側には、パイプ３の内面に沿った弧状外面をなす一対の連結ガイド部材４１が溶接固定されている。上記連結によって、連結ガイド部材４１が他方のパイプ３内に進入して、連結されるブロックのパイプ３相互の端部が一致した状態となる。このため、パイプ３相互の連結端部に段差が生じない状態となり、ウェークボードが滑走部材２のパイプ３上を滑走する場合の危険が回避された構成となる。
【００３０】
本発明のウェークボードスライダー１は、運搬のし易さ等を考慮して滑走部材２も含めて骨格部材４がアルミニウム製であり、浮き部材５は発泡スチロールを袋に収納したものであり、全体として軽量化を達成したものである。そして、波の影響による揺動を抑制するために重心位置を低くするように、各ブロック６〜８ごとに鉄製の錘１３を骨格部材４のベース部材４Ａにボルトネジ４２によって着脱自在に取り付けている。ウェークボードスライダー１を各ブロック６〜８に分解して運搬する場合には、運搬のし易さのために、ボルトネジ４２を外してこの錘１３は取り外すことができる。
【実施例２】
【００３１】
図２には、ウェークボードスライダー１が、傾斜滑走部９を形成した進入側ブロック部６と、水平滑走部１０を形成した中間ブロック部７と、傾斜滑走部１２を形成した出口側ブロック部８とから構成した形態を示している。この形態においても、中間ブロック部７は一つに限らず複数の中間ブロック部７が連結される構成でもよい。その他の部分は上記実施例１に記載した構成と同様である。
【実施例３】
【００３２】
図に示す上記の各実施例では、位置決め部材２５を高さＨ３の第１位置に取り付けた状態と、位置決め部材２５を高さＨ４の第２位置に取り付けた状態とによって、浮き部材５が下方位置と上方位置に変更することによりウェークボードスライダー１の水面上の突出高さが変わるが、好ましい形態として、２本の断面円形パイプ３のそれぞれの外径は９０ｍｍとし、進入側ブロック部６と、中間ブロック部７と、出口側ブロック部８の夫々の長さＬ１、Ｌ２、Ｌ３は約３０００ｍｍとし、これら各ブロック６〜８が連結されたウェークボードスライダー１の長さＬ４は約９０００ｍｍとし、図１において上記Ｈ１を約１３００ｍｍとし、上記Ｈ２を約１０００ｍｍとし、この上下位置の高さの差を約３００ｍｍとする。また、図２において上記Ｈ１を約８３０ｍｍとし、上記Ｈ２を約５３０ｍｍとし、この上下位置の高さの差を約３００ｍｍとする。
【実施例４】
【００３３】
ウェークボードスライダー１は、出口側ブロック部８を連結せず、傾斜滑走部９を形成した進入側ブロック部６と、水平滑走部１０を形成した中間ブロック部７との連結で構成することもできる。中間ブロック部７は一つに限らず複数の中間ブロック部７が連結される構成でもよい。この場合、中間ブロック部７が出口側ブロック部の役目をするため、ウェークボードは滑走部材２上を滑走した後、最終段の中間ブロック部７から飛び出して着水することとなる。
【００３４】
本発明は、上記実施形態に限定されず、本発明の技術的範囲を逸脱しない限り種々の変更が考えられ、それに係る種種の実施形態を包含するものである。
【産業上の利用可能性】
【００３５】
本発明のウェークボードスライダーは、海上や湖上等の水上でのウェークボードによる遊びや競技の他に、陸上での滑走装置としても利用できる。その場合、浮き部材５を取り外して骨格部材４を地中などに固定する手段が採られる。
【図面の簡単な説明】
【００３６】
【図１】本発明に係るウェークボードスライダーの側面図である。（実施例１）
【図２】本発明に係るウェークボードスライダーの他の実施形態の側面図である。（実施例２）
【図３】本発明に係るウェークボードスライダーの下面図である。（実施例１）
【図４】本発明に係る浮き部材の上下位置関係の説明図である。（実施例１）
【図５】本発明に係る中間ブロック部の側面図である。（実施例１）
【図６】図６は本発明に係る中間ブロック部の正面図である。（実施例１）
【図７】本発明に係るジャンプ滑走部を形成した出口側ブロック部の側面図である。（実施例１）
【図８】本発明に係る各ブロック部相互の連結部の分解斜視図である。（実施例１）
【図９】本発明に係る各ブロック部相互の連結部の上面図である。（実施例１）
【図１０】本発明に係る骨格部材に対する滑走部材と浮き部材の取り付け関係を示す分解斜視図である。（実施例１）
【図１１】本発明に係る骨格部材に対する浮き部材の取り付け位置関係を示す横断平面図である。（実施例１）
【図１２】本発明に係る浮き部材の支持部材の斜視図である。（実施例１）
【図１３】本発明に係る浮き部材の支持部材の横断平面図である。（実施例１）
【図１４】本発明に係る進入側ブロック部の浮き部材の取り付け状態を示す斜視図である。（実施例１）
【図１５】本発明に係る進入側ブロック部の浮き部材取り付け部の部分断面図である。（実施例１）
【図１６】本発明に係る各ブロック部の滑走部材相互の接続部の分解斜視図である。（実施例１）
【図１７】本発明に係る各ブロック部の滑走部材相互の接続部の側面図である。（実施例１）
【符号の説明】
【００３７】
１・・・・ウェークボードスライダー
２・・・・滑走部材
３・・・・パイプ
４・・・・骨格部材
４Ａ・・・ベース部材
４Ｂ・・・中間支柱部材
５・・・・浮き部材
６・・・・進入側ブロック部
７・・・・中間ブロック部
８・・・・出口側ブロック部
９・・・・傾斜滑走部
１０・・・水平滑走部
１１・・・ジャンプ滑走部
１２・・・傾斜滑走部
１３・・・錘
１４・・・各ブロック相互の連結部
１８・・・浮き部材の支持軸
１９・・・リング状の嵌合部材
２０・・・浮き部材用支持部材
２２・・・結合フランジ
２５・・・リング状位置決め部材
【図１】
2005046362.tif 000003
【図２】
2005046362.tif 000004
【図３】
2005046362.tif 000005
【図４】
2005046362.tif 000006
【図５】
2005046362.tif 000007
【図６】
2005046362.tif 000008
【図７】
2005046362.tif 000009
【図８】
2005046362.tif 000010
【図９】
2005046362.tif 000011
【図１０】
2005046362.tif 000012
【図１１】
2005046362.tif 000013
【図１２】
2005046362.tif 000014
【図１３】
2005046362.tif 000015
【図１４】
2005046362.tif 000016
【図１５】
2005046362.tif 000017
【図１６】
2005046362.tif 000018
【図１７】
2005046362.tif 000019